(57)【要約】【課題】複数組の差動信号を扱う平衡コネクタの評価を可能とするとともに、精度の良い測定を可能とする平衡コネクタ評価用基板を提供する。【解決手段】平衡コネクタ評価用基板１は、平衡コネクタ４及び同軸コネクタ３と、平衡コネクタ４及び同軸コネクタ３を接続固定する基板２とを備える。基板２は、複数の基板角部のうち評価に使用する基板角部８、９毎に同軸コネクタ３を二つ用い、更に、評価に使用する基板角部８、９毎に、二つのコネクタ接続端面１５と、一端に平衡コネクタ４を接続する平衡線路１０、１１と、この平衡線路１０、１１の他端から各コネクタ接続端面１５に向けてのびる略Ｖ字状の配置となる二つの不平衡線路１２、１３とを有する。【選択図】図１
2007165945.tif 000002
【特許請求の範囲】
【請求項１】
平衡コネクタ及び同軸コネクタと、該平衡コネクタ及び同軸コネクタを接続固定する基板とを備え、該基板は、複数の基板角部のうち評価に使用する基板角部毎に前記同軸コネクタを二つ用い、更に、前記評価に使用する基板角部毎に、二つのコネクタ接続端面と、一端に前記平衡コネクタを接続する平衡線路と、該平衡線路の他端から各前記コネクタ接続端面に向けてのびる略Ｖ字状の配置となる二つの不平衡線路とを有する
ことを特徴とする平衡コネクタ評価用基板。
【発明の詳細な説明】
【技術分野】
【０００１】
本発明は、複数組の差動信号用の平衡コネクタを不平衡の測定系で測定・評価するための平衡コネクタ評価用基板に関する。
【背景技術】
【０００２】
平衡ケーブル（例えば安価なツイストペアケーブルなど）の端末に設ける平衡コネクタの特性を評価しようとする場合、ネットワークアナライザやオシロスコープなどの測定器を用いる必要性がある。この測定器は、測定ケーブルとして同軸ケーブルを備えることから、平衡コネクタと同軸ケーブルとの間に平衡線路と不平衡線路とを有する評価用基板を設けて測定・評価をしなければならないことになる。
【０００３】
上記のことをふまえると、評価用基板は、この評価用基板の平衡線路に平衡コネクタを接続し、平衡線路から分かれる二つの不平衡線路の各端末に、不平衡の同軸コネクタを設ける構造が考えられる。このような評価用基板における二つの同軸コネクタは、測定器から伸びる同軸ケーブルを接続する都合上、同軸ケーブル同士の干渉や取付工具に配慮して離すように配置がなされることになる。二つの不平衡線路は、平衡線路と二つの同軸コネクタとの配置に応じて間隔が開くように形成される。平衡−不平衡線路は、略Ｙ字状の経路となるように形成される。
【０００４】
尚、平衡コネクタに関しては下記特許文献１の開示技術が知られている。また、同軸コネクタに関しては下記特許文献２の開示技術が知られている。また、平衡−不平衡線路に関しては下記特許文献３の開示技術が知られている。
【特許文献１】特許第３５３３５６８号公報
【特許文献２】特許第２９７６３２４号公報
【特許文献３】特開平６−２１５６４７号公報
【発明の開示】
【発明が解決しようとする課題】
【０００５】
上記の平衡コネクタ評価用基板は、二つの同軸コネクタの配置関係から、平衡−不平衡線路が長くなる（特に不平衡線路が長くなる）とともに、不平衡線路の間隔が開いてしまうという問題点を有している。このようなことから上記の平衡コネクタ評価用基板は、高周波の損失が大きくなり、精度の良い測定ができないという問題点を有している。
【０００６】
また、上記の平衡コネクタ評価用基板は、複数組の差動信号を扱う平衡コネクタの評価用として向いてないという問題点を有している。上記の平衡コネクタ評価用基板は、例えば差動信号ペア間のクロストークを測定したくても用いることができないという問題点を有している。
【０００７】
本発明は、上述した事情に鑑みてなされたもので、複数組の差動信号を扱う平衡コネクタの評価を可能とするとともに、精度の良い測定を可能とする平衡コネクタ評価用基板を提供することを課題とする。
【課題を解決するための手段】
【０００８】
上記課題を解決するためになされた請求項１記載の本発明の平衡コネクタ評価用基板は、平衡コネクタ及び同軸コネクタと、該平衡コネクタ及び同軸コネクタを接続固定する基板とを備え、該基板は、複数の基板角部のうち評価に使用する基板角部毎に前記同軸コネクタを二つ用い、更に、前記評価に使用する基板角部毎に、二つのコネクタ接続端面と、一端に前記平衡コネクタを接続する平衡線路と、該平衡線路の他端から各前記コネクタ接続端面に向けてのびる略Ｖ字状の配置となる二つの不平衡線路とを有することを特徴としている。
【０００９】
このような特徴を有する本発明によれば、測定器の同軸ケーブルを接続する二つの同軸コネクタが基板の基板角部毎に存在することから、複数組の差動信号を扱う平衡コネクタの評価を一つの基板で行うことが可能になる。また、本発明によれば、基板角部毎に接続固定されて存在する二つの同軸コネクタの向きが平行でなく角度を持って配置されることから、測定器の同軸ケーブル同士の干渉等が避けられるのは勿論のこと、基板における不平衡線路の長さを短く形成することが可能になる。本発明によれば、不平衡線路を短く形成することが可能であることから、短く形成した場合、不平衡線路のインピーダンスの不整合が解消される。また、不平衡線路の長さに起因する反射や損失が低減される。
【発明の効果】
【００１０】
請求項１に記載された本発明によれば、複数組の差動信号を扱う平衡コネクタの評価を行うことができるという効果を奏する。また、精度の良い測定を行うことができるという効果を奏する。
【発明を実施するための最良の形態】
【００１１】
以下、図面を参照しながら説明する。図１は本発明の平衡コネクタ評価用基板の一実施の形態を示す図であり、（ａ）は平面図、（ｂ）は要部拡大図である。また、図２、図３は同軸コネクタの一実施の形態を示す側面図及び断面図である。
【００１２】
図１において、引用符号１は本発明の平衡コネクタ評価用基板を示している。平衡コネクタ評価用基板１は、基板２と、複数の同軸コネクタ３と、平衡コネクタ４とを備えて構成されている。平衡コネクタ評価用基板１は、二つの評価部５、６を有しており（数は一例であるものとする）、平衡コネクタ４が複数組の差動信号を扱うものであっても評価を行うことができるように構成されている。評価部５、６は、基板２の四つの基板角部のうち、評価に使用する基板角部７、８に関連するように設定されている。同軸コネクタ３は、評価部５、６にそれぞれ二つずつ備えられている。以下、各構成部材について説明する。
【００１３】
基板２は、基板本体９と、平衡線路１０、１０及び平衡線路１１、１１と、不平衡線路１２、１２及び不平衡線路１３、１３と、複数箇所のグランド１４とを備えて構成されている。平衡線路１０、１０及び平衡線路１１、１１と、不平衡線路１２、１２及び不平衡線路１３、１３は、共に導電性を有しており、評価部５、６に対応するような格好で基板本体９の表面に設けられている。また、複数箇所のグランド１４も導電性を有している。グランド１４は、基板本体６の表裏面に設けられている。グランド１４は、平衡線路１０、１０及び平衡線路１１、１１と、不平衡線路１２、１２及び不平衡線路１３、１３から所定の間隔をあけるようにして設けられている。
【００１４】
基板本体９は、均等な厚みを有する絶縁性の部材であって、略直角となる基板角部７、８にそれぞれ二つのコネクタ接続端面１５、１５を有している。基板本体９は、特に限定するものではないが、平面視正方形で市販されているものであって、平衡コネクタ４の設置位置近傍に凹部（符号省略）が追加加工されている。基板角部７、８の各コネクタ接続端面１５は、同軸コネクタ３を接続固定するための部分として形成されている。各コネクタ接続端面１５は、直線的な端面となるように形成されている。
【００１５】
平衡線路１０、１０及び平衡線路１１、１１は、基板本体９の表面において略「く」字状に配線されている。また、平衡線路１０、１０と、平衡線路１１、１１は、図示のように対称的に配線されている。平衡線路１０、１０及び平衡線路１１、１１は、この一端が平衡コネクタ４の取付位置に合わせて配線されている。平衡線路１０、１０及び平衡線路１１、１１は、この他端がコネクタ接続端面１５、１５の交点１６の方向へ、言い換えれば基板角部７、８の方向へのびるように配線されている。
【００１６】
平衡線路１０、１０及び平衡線路１１、１１の他端には、不平衡線路１２、１２及び不平衡線路１３、１３の一端が接続されている。この接続部分は、角度を有するように接続されている。言い換えれば、平衡線路１０、１０及び平衡線路１１、１１と、不平衡線路１２、１２及び不平衡線路１３、１３は、折れ曲がるように連成されている。
【００１７】
不平衡線路１２、１２及び不平衡線路１３、１３は、図示のように略Ｖ字状の配置となるように配線されている。不平衡線路１２、１２及び不平衡線路１３、１３は、真っ直ぐに配線されている。また、不平衡線路１２、１２及び不平衡線路１３、１３は、この他端が対応するコネクタ接続端面１５に対して直交するように配線されている。
【００１８】
同軸コネクタ３について説明する。評価部５、６における各二つの同軸コネクタ３は、図２に示す場合のもの、又は図３に示す場合のもののいずれかが用いられている。先ず、図２に示す場合の同軸コネクタ３について説明し、次いで、図３に示す場合の同軸コネクタ３を説明する。尚、同軸コネクタ３の平面形状は図１を参照するものとする。
【００１９】
図２において、同軸コネクタ３は既知のものであって、コネクタ本体２１と、このコネクタ本体２１のコンタクト突出面２２から突出するコンタクト２３とを有している。コネクタ本体２１は、金属筐体２４と、絶縁体２５と、芯線２６とを有している。
【００２０】
金属筐体２４には、図示しない同軸ケーブルに対するケーブル接続部２７が形成されている。また、金属筐体２４には、基板２に対する一対の基板固定部２８が形成されている。ケーブル接続部２７は略筒状であって、この外側に雄ねじ２９が所定の範囲で形成されている。金属筐体２４の材質としては、ステンレス、銅合金、アルミニウム等が一例として挙げられる。また、金属筐体２４の表面処理としては、Ａｕ、Ａｇ、Ｎｉ、Ｐａ等が一例として挙げられる。
【００２１】
各基板固定部２８は、コネクタ本体２１におけるコンタクト突出面２２の側縁部から突出するように形成されている。各基板固定部２８は、基板２を挟み込んで半田付け（６１）をすることができるような形状に形成されている。各基板固定部２８には、基板２を挟み込むことができるような格好の基板差込溝３０が形成されている。尚、図中の基板固定部２８の形状は一例であるものとする。
【００２２】
各基板固定部２８の間には、ケーブル接続部２７の内部に連通する開口部３１が形成されている。開口部３１及びケーブル接続部２７の内部には、絶縁体２５が設けられている。絶縁体２５は、絶縁性を有する略円柱形状に形成されている。コンタクト突出面２２の中央には、開口部３１を介して絶縁体２５の端面が露出している。
【００２３】
芯線２６は、導電性を有しており、絶縁体２５の内部において真っ直ぐに配置されている。芯線２６の一端には、図示しない同軸ケーブルの中心導体に対して電気的に接触する中心導体接続部３２が形成されている。一方、芯線２６の他端には、コンタクト２３が連成されている。芯線２６の他端とコンタクト２３は、同一中心で真っ直ぐに連成されている。コンタクト２３は、開口部３１を介してコンタクト突出面２２の中央に露出する絶縁体２５から突出するように配置形成されている。コンタクト２３は、細長い丸ピン形状に形成されている（コンタクト２３の形状は一例であるものとする）。
【００２４】
図３において、同軸コネクタ３は、コネクタ本体４１と、このコネクタ本体４１のコンタクト突出面４２から突出するコンタクト４３とを有している。コネクタ本体４１は、金属筐体４４と、絶縁体４５と、芯線４６とを有している。コネクタ本体４１は、図２の場合とは異なる基板固定部４７を有している。
【００２５】
金属筐体４４には、図示しない同軸ケーブルに対するケーブル接続部４８が形成されている。また、金属筐体４４には、基板２に対する上記の基板固定部４７が設けられている。ケーブル接続部４８は略筒状であって、この外側に雄ねじ４９が所定の範囲で形成されている。金属筐体４４の材質としては、図２の場合と同様、ステンレス、銅合金、アルミニウム等が一例として挙げられる。また、金属筐体４４の表面処理としては、これも図２の場合と同様、Ａｕ、Ａｇ、Ｎｉ、Ｐａ等が一例として挙げられる。
【００２６】
基板固定部４７は、コネクタ本体４１におけるコンタクト突出面４２から突出するバネ部５０と、このバネ部５０に対向する一対の受け部５１、５１と、バネ部５０及び一対の受け部５１、５１の間に形成される基板差込空間５２とを有して構成されている。基板固定部４７は、コンタクト４３の位置に合わせて設けられている。
【００２７】
バネ部５０は、基板押圧部５３を有する例えば図示のような形状の板バネであって、本形態においては、金属筐体４４に対して着脱自在となるように形成されている（一体で形成してもよいものとする。形状は一例であるものとする）。バネ部５０は、この端部の取付部５４が金属筐体４４のバネ部取付溝５５に差し込まれて固定されるようになっている。基板押圧部５３は、基板２の裏面に接触する略山状の部分であって、バネ部５０により生じる基板挟み込み方向の力を基板２に作用させることができるようになっている。
【００２８】
一対の受け部５１、５１は、断面矩形状の突起であって、コネクタ本体４１におけるコンタクト突出面４２の両側縁部から突出するように形成されている。一対の受け部５１、５１は、金属筐体４４に対して一体に形成されている。一対の受け部５１、５１は、バネ部５０により押圧された基板２の表面を受けるように形成されている。基板２は、基板差込空間５２においてバネ部５０及び一対の受け部５１、５１により把持されるようになっている。尚、様々な板厚の基板に対応させるために、バネ部５０を数種類揃えたりバネ部取付溝５５を複数段形成したりしてもよいものとする。図中の基板固定部４７の形状は一例であるものとする。
【００２９】
引用符号５６はコンタクト突出面４２に開口する金属筐体４４の開口部を示している。開口部５６は、ケーブル接続部４８に連通しており、これらに跨って絶縁体４５が設けられている。絶縁体４５は、絶縁性を有する略円柱形状に形成されている。コンタクト突出面４２の中央には、開口部５６を介して絶縁体４５の端面が露出している。
【００３０】
芯線４６は、導電性を有しており、絶縁体４５の内部において真っ直ぐに配置されている。芯線４６の一端には、図示しない同軸ケーブルの中心導体に対して電気的に接触する中心導体接続部５７が形成されている。一方、芯線４６の他端には、コンタクト４３が連成されている。芯線４６の他端とコンタクト４３は、真っ直ぐに連続するように形成されている。コンタクト４３は、コンタクト突出面４２の中央に露出する絶縁体４５から突出するように配置形成されている。コンタクト４３は、細長い丸ピン形状に形成されている（一例であるものとする）。
【００３１】
図１に戻り、平衡コネクタ４は、測定対象、若しくは測定対象のコネクタを接続するためのものであって、コネクタハウジングと、平衡線路１０、１０及び平衡線路１１、１１の一端に接続される端子金具とを備えて構成されている。
【００３２】
次に、上記構成に基づきながら本発明の平衡コネクタ評価用基板１の組み立てについて説明する。
【００３３】
図２で説明した同軸コネクタ３を用いる場合、基板角部７の各コネクタ接続端面１５を各同軸コネクタ３の基板固定部２８に差し込むと、各コンタクト２３は不平衡線路１２、１２に重なり電気的に接触し合う。また、各基板固定部２８もグランド１４に重なって電気的に接触し合う。基板角部８側に対しても同様に行うと、各コンタクト２３は不平衡線路１３、１３に重なり電気的に接触し合う。また、各基板固定部２８もグランド１４に重なって電気的に接触し合う。その後、各コンタクト２３と不平衡線路１２、１２及び不平衡線路１３、１３や、各基板固定部２８とグランド１４とを半田付け６１によりそれぞれ電気的に接続すると、各同軸コネクタ３は基板２に対して接続固定され、評価部５、６が出来上がって一連の組み立て作業が完了する。
【００３４】
一方、図３で説明した同軸コネクタ３を用いる場合、基板角部７の各コネクタ接続端面１５を各同軸コネクタ３の基板固定部４７に差し込むと、基板２は各バネ部５０及び各一対の受け部５１、５１により把持される。各コンタクト４３は、不平衡線路１２、１２に重なり電気的に接触し合う。また、各バネ部５０や各一対の受け部５１、５１もグランド１４に重なって電気的に接触し合う（ここで接触部分を半田付けしてもよいものとする）。基板角部８側に対しても同様に行うと、各コンタクト２３は不平衡線路１３、１３に重なり電気的に接触し合う。また、各バネ部５０や各一対の受け部５１、５１もグランド１４に重なって電気的に接触し合う（ここで接触部分を半田付けしてもよいものとする）。各同軸コネクタ３は、基板２に対して接続固定され、評価部５、６が出来上がって一連の組み立て作業が完了する。尚、基板２を引き抜けば、同軸コネクタ３の使いまわしが可能となる。
【００３５】
以上、図１ないし図３を参照しながら説明してきたように、本発明の平衡コネクタ評価用基板１によれば、不平衡線路７はこの長さが短いものとなっている。従って、インピーダンスの不整合を解消することができるという効果を奏する。また、長さに起因する反射や損失を低減することができるという効果を奏する。本発明の平衡コネクタ評価用基板１によれば、精度の良い測定をすることができるという効果を奏する。さらに、本発明の平衡コネクタ評価用基板１によれば、評価部５、６を有することから、複数組の差動信号を扱う平衡コネクタの評価を行うことができるという効果を奏する。
【００３６】
その他、本発明は本発明の主旨を変えない範囲で種々変更実施可能なことは勿論である。
【図面の簡単な説明】
【００３７】
【図１】本発明の平衡コネクタ評価用基板の一実施の形態を示す図であり、（ａ）は平面図、（ｂ）は要部拡大図である。
【図２】（ａ）は同軸コネクタの一実施の形態を示す側面図、（ｂ）は断面図である。
【図３】（ａ）は同軸コネクタの一実施の形態を示す側面図、（ｂ）は断面図である。
【符号の説明】
【００３８】
１  平衡コネクタ評価用基板
２  基板
３  同軸コネクタ
４  平衡コネクタ
５、６  評価部
７、８  基板角部
９  基板本体
１０、１１  平衡線路
１２、１３  不平衡線路
１４  グランド
１５  コネクタ接続端面
１６  交点
２１、４１  コネクタ本体
２２、４２  コンタクト突出面
２３、４３  コンタクト
２４、４４  金属筐体
２５、４５  絶縁体
２６、４６  芯線
２８、４７  基板固定部
３０  基板差込溝
５０  バネ部
５１  受け部
５２  基板差込空間
５３  基板押圧部
６１  半田付け
【図１】
2007165945.tif 000003
【図２】
2007165945.tif 000004
【図３】
2007165945.tif 000005